(57)【要約】【課題】相互に近接した周波数帯域を使用する複数の無線通信部が同時動作した場合において、受信レベルをできるだけ低下させないようにしながら、他の無線通信部からの送信信号に起因した受信品質の劣化を抑制する。【解決手段】第１および第２の通信部１０，３０を備えた通信装置１において、周波数可変フィルタ１４は、受信した無線信号のうち第１の通信部１０が使用する第１の周波数帯域の信号成分を通過させ、第２の通信部３０が使用する第２の周波数帯域の信号成分を減衰させる。制御部３５は、第１の通信部１０による無線信号の受信時に、第２の通信部３０が無線信号を送信するときには、第２の通信部３０が使用する周波数に応じて遮断周波数が変化するように周波数可変フィルタ１４を制御する。【選択図】図１
2014123901.tif 000002
【特許請求の範囲】
【請求項１】
第１の周波数帯域を使用して無線通信を行なうように構成されている第１の通信部と、
前記第１の周波数帯域に近接する第２の周波数帯域の少なくとも一部を使用して無線通信を行なうように構成されている第２の通信部とを備え、
前記第１の通信部は、受信した無線信号のうち前記第１の周波数帯域の信号成分を通過させ、前記第２の周波数帯域の信号成分を減衰させる周波数可変フィルタを含み、
さらに、前記第１の通信部による無線信号の受信時に、前記第２の通信部が無線信号を送信するときに、前記第２の通信部が使用する周波数に応じて遮断周波数が変化するように前記周波数可変フィルタを制御する制御部を備えた通信装置。
【請求項２】
前記第２の周波数帯域は、第１のチャネルおよび前記第１のチャネルよりも前記第１の周波数帯域に近い第２のチャネルを含む複数のチャネルに分割され、
前記第２の通信部は、前記複数のチャネルのうちで選択された１つのチャネルを使用して無線信号の送信を行なうように構成されており、
前記第１の通信部による無線信号の受信時に、前記第２の通信部が前記第２のチャネルを使用して無線信号を送信するときには、前記制御部は、前記第１のチャネルを使用する場合よりも前記第１の周波数帯域に近い方向に前記遮断周波数が変化するように前記周波数可変フィルタを制御する、請求項１に記載の通信装置。
【請求項３】
前記周波数可変フィルタは、遮断域の急峻度が変更可能に構成され、
前記第１の通信部による無線信号の受信時に、前記第２の通信部が前記第２のチャネルを使用して無線信号を送信するときには、前記制御部は、前記第１のチャネルを使用する場合よりも前記急峻度がより急峻になるように前記周波数可変フィルタを制御する、請求項２に記載の通信装置。
【請求項４】
前記周波数可変フィルタは、複数の素子が梯子状に連結された梯子型フィルタを含み、
前記梯子型フィルタの段数ならびに前記複数の素子のうち少なくとも一部の素子のインピーダンスは、変更可能に構成されており、
前記第１の通信部による無線信号の受信時に、前記第２の通信部が前記第１のチャネルを使用して無線信号を送信するときには、前記制御部は、前記梯子型フィルタの段数を変更せずに少なくとも一部の素子のインピーダンスを変化させることによって、初期状態よりも前記第１の周波数帯域に近付く方向に前記遮断周波数が変化するように前記周波数可変フィルタを制御し、
前記第１の通信部による無線信号の受信時に、前記第２の通信部が前記第２のチャネルを使用して無線信号を送信するときには、前記制御部は、前記第１のチャネルを使用する場合よりも前記梯子型のフィルタの段数を増加させることによって、前記急峻度がより急峻になるように前記周波数可変フィルタを制御する、請求項３に記載の通信装置。
【請求項５】
前記制御部は、前記第１の通信部による無線信号の受信時に、前記第２の通信部が無線信号を送信するときには、無線信号の送信電力が所定の基準値を超えている場合に限って、前記周波数可変フィルタの周波数特性を制御する、請求項１〜４のいずれか１項に記載の通信装置。
【発明の詳細な説明】
【技術分野】
【０００１】
この発明は、使用する周波数帯がそれぞれ異なる複数の無線通信部を備えた通信装置に関する。
【背景技術】
【０００２】
２つの無線通信部を備えた通信装置において、これらの無線通信部が使用する周波数帯域が近接している場合には、一方の無線通信部の送信信号が他方の無線通信部の妨害波となる場合がある。通常、この妨害波による受信信号の品質劣化を抑制するために遮断域での減衰特性が急峻なフィルタが設けられる。ところが、急峻なフィルタは挿入損失が大きいために、受信レベルが低下してしまうという問題が生じる。
【０００３】
上記の問題に対処するための技術として、たとえば、特開２００６−７４３１３号公報（特許文献１）に記載された技術が知られている。具体的に、この文献の信号処理装置は、互いに周波数の異なる第１無線信号と第２無線信号とを取り扱う。信号処理装置は、受信された第１無線信号の信号品質を判定する信号品質判定手段と、信号品質判定手段によって第１無線信号の品質が所定のレベル以下であると判定された場合に、受信された第１無線信号から、第２無線信号と一致する周波数成分を除去する妨害波除去手段とを備える。
【０００４】
特開２００７−１２４５２８号公報（特許文献２）は、送信回路と受信回路とが互いに異なる周波数を使用するとき、妨害波に基づく相互歪み成分によって受信信号の劣化が引き起こされる場合について開示している。この文献の場合も、上記の特開２００６−７４３１３号公報（特許文献１）の場合と同様に、受信回路のベースバンド処理部には受信信号のビットエラーレートを検出する誤り検出器が設けられる。誤り検出器は、受信信号のビットエラーレートに応じて受信回路の低雑音増幅器の前段側に設けられた高域通過フィルタを調整する。
【０００５】
特開２００７−２４３６６２号公報（特許文献３）は、ＣＡＴＶ（Cable  Television）用の通信モデム装置に関する技術を開示する。通信モデム装置には、デジタル変調された複数のサブキャリア信号からなる高周波通信信号を所定の通過帯域でフィルタリングする周波数可変フィルタが設けられる。フィルタ制御回路は、予め設定された周波数情報に基づいて、隣接妨害波の影響を軽減するように周波数可変フィルタの帯域通過の周波数を設定する。
【先行技術文献】
【特許文献】
【０００６】
【特許文献１】特開２００６−７４３１３号公報
【特許文献２】特開２００７−１２４５２８号公報
【特許文献３】特開２００７−２４３６６２号公報
【発明の概要】
【発明が解決しようとする課題】
【０００７】
上述の特開２００６−７４３１３号公報（特許文献１）および特開２００７−１２４５２８号公報（特許文献２）に記載された技術では、同時動作している他の無線通信部が信号品質劣化の直接の原因となっていない場合にもフィルタ特性の調整が行なわれてしまう。この結果、フィルタの挿入損失の増加によってかえって信号品質が劣化してしまう。
【０００８】
特開２００７−２４３６６２号公報（特許文献３）に記載された技術は、ＣＡＴＶ網の同軸ケーブルを介して、互いに周波数帯域の異なる複数の信号を受信する場合に適用されるものであるので、通信装置に備えられた複数の無線通信部が同時に送信および受信を行なう場合に直接的に適用できるものではない。
【０００９】
この発明の目的は、相互に近接した周波数帯域を使用する複数の無線通信部が同時動作した場合において、受信レベルをできるだけ低下させないようにしながら、他の無線通信部からの送信信号に起因した受信品質の劣化を従来よりも簡単かつ確実に抑制することである。
【課題を解決するための手段】
【００１０】
この発明は一局面において通信装置であって、第１の通信部と、第２の通信部と、制御部とを含む。第１の通信部は、第１の周波数帯域を使用して無線通信を行なうように構成されている。第２の通信部は、第１の周波数帯域に近接する第２の周波数帯域の少なくとも一部を使用して無線通信を行なうように構成されている。第１の通信部は、受信した無線信号のうち第１の周波数帯域の信号成分を通過させ、第２の周波数帯域の信号成分を減衰させる周波数可変フィルタを含む。制御部は、第１の通信部による無線信号の受信時に、第２の通信部が無線信号を送信するときには、第２の通信部が使用する周波数に応じて遮断周波数が変化するように周波数可変フィルタを制御する。
【００１１】
好ましくは、第２の周波数帯域は、第１のチャネルおよび第１のチャネルよりも第１の周波数帯域に近い第２のチャネルを含む複数のチャネルに分割される。この場合、第２の通信部は、複数のチャネルのうちで選択された１つのチャネルを使用して無線信号の送信を行なうように構成されている。第１の通信部による無線信号の受信時に、第２の通信部が第２のチャネルを使用して無線信号を送信するときには、制御部は、第１のチャネルを使用する場合よりも第１の周波数帯域に近い方向に遮断周波数が変化するように周波数可変フィルタを制御する。
【００１２】
好ましくは、周波数可変フィルタは、遮断域の急峻度が変更可能に構成される。第１の通信部による無線信号の受信時に、第２の通信部が上記の第２のチャネルを使用して無線信号を送信するときには、制御部は、上記の第１のチャネルを使用する場合よりも急峻度がより急峻になるように周波数可変フィルタを制御する。
【００１３】
好ましくは、周波数可変フィルタは、複数の素子が梯子状に連結された梯子型フィルタを含む。梯子型フィルタの段数ならびに上記の複数の素子のうち少なくとも一部の素子のインピーダンスは、変更可能に構成されている。第１の通信部による無線信号の受信時に、第２の通信部が上記の第１のチャネルを使用して無線信号を送信するときには、制御部は、梯子型フィルタの段数を変更せずに少なくとも一部の素子のインピーダンスを変化させることによって、初期状態よりも第１の周波数帯域に近付く方向に遮断周波数が変化するように周波数可変フィルタを制御する。第１の通信部による無線信号の受信時に、第２の通信部が第２のチャネルを使用して無線信号を送信するときには、制御部は、第１のチャネルを使用する場合よりも梯子型のフィルタの段数を増加させることによって、急峻度がより急峻になるように周波数可変フィルタを制御する。
【００１４】
好ましくは、制御部は、第１の通信部による無線信号の受信時に、第２の通信部が無線信号を送信するときには、無線信号の送信電力が所定の基準値を超えている場合に限って、周波数可変フィルタの周波数特性を制御する。
【発明の効果】
【００１５】
この発明によれば、受信レベルをできるだけ低下させないようにしながら、他の無線通信部からの送信信号に起因した受信品質の劣化を従来よりも簡単かつ確実に抑制できる。
【図面の簡単な説明】
【００１６】
【図１】実施の形態１による通信装置の全体構成を示すブロック図である。
【図２】図１の周波数可変フィルタおよびフィルタ制御回路の構成例を示す回路図である。
【図３】図１の周波数可変フィルタの周波数特性を模式的に示す図である。
【図４】図１の周波数可変フィルタの制御手順を示すフローチャートである。
【図５】実施の形態２による通信装置で用いられる周波数可変フィルタの構成例を示す回路図である。
【図６】図５の周波数可変フィルタの周波数特性を模式的に示す図である。
【図７】図５の周波数可変フィルタの制御手順を示すフローチャートである。
【図８】実施の形態３による通信装置で用いられる周波数可変フィルタの構成例を示す回路図である。
【図９】図８の周波数可変フィルタの周波数特性を模式的に示す図である。
【図１０】図８の周波数可変フィルタの制御手順を示すフローチャートである。
【発明を実施するための形態】
【００１７】
以下、各実施の形態について図面を参照して詳しく説明する。なお、同一または相当する部分には同一の参照符号を付して、その説明を繰返さない。
【００１８】
＜実施の形態１＞
［通信装置の全体構成］
図１は、実施の形態１による通信装置の全体構成を示すブロック図である。
【００１９】
実施の形態１では、ＰＨＳ（Personal  Handy-phone  System）とＷＣＤＭＡ（Wideband  Code  Division  Multiple  Access）との２つの通信方式に対応した通信装置１を例として挙げる。ＰＨＳでは、１８８４．６５〜１９１９．４５［ＭＨｚ］の周波数帯域が使用され、ＷＣＤＭＡでは、バンド（Band）Ｉ（上り帯域：１９２０〜１９８０［ＭＨｚ］、下り帯域：２１１０〜２１７０［ＭＨｚ］）が使用され、これらの周波数帯域は互いに近接して配置されている。
【００２０】
図１を参照して、通信装置１は、ＰＨＳ用のアンテナ２と、ＷＣＤＭＡ用のアンテナ３と、ＰＨＳ方式で無線通信を行なう無線通信部１０と、ＷＣＤＭＡ方式で無線通信を行なう無線通信部３０と、通信装置１全体を制御する中央処理装置（ＣＰＵ：Central  Processing  Unit）３５と、フィルタ制御回路４０とを含む。なお、ＣＰＵ３５は、図示しないメモリと結合され、メモリに記憶されたプログラムに基づいて動作する。
【００２１】
ＰＨＳ用の無線通信部１０は、高周波集積回路（ＲＦＩＣ：Radio  Frequency  Integrated  Circuit）１１と、ＰＨＳモデム２０とを含む。ＰＨＳモデム２０は、送信時にはデジタル送信データをＰＨＳ方式によって変調することによって、ベースバンド送信信号を生成する。ＰＨＳモデム２０は、受信時にはＲＦＩＣ１１から受けたベースバンド受信信号を復調することによってデジタル受信データを生成する。
【００２２】
ＲＦＩＣ１１は、スイッチ１２と、送信回路（ＴＸ回路）１３と、周波数可変フィルタ１４と、ローノイズアンプ（ＬＮＡ：Low  Noise  Amplifier）１５と、受信回路（ＲＸ回路）１６とを含む。
【００２３】
送信回路１３は、ＰＨＳモデム２０から出力されたベースバンド送信信号を、所定の周波数帯域にアップコンバートすることによりＲＦ送信信号（無線送信信号）を生成する。スイッチ１２は送信時に送信回路１３とアンテナ２とを接続する。これによって、送信回路１３によって生成されたＲＦ送信信号はアンテナ２から放射される。
【００２４】
一方、スイッチ１２は受信時に受信回路１６とアンテナ２とを接続する。アンテナ２を介して受信したＰＨＳ用のＲＦ受信信号（無線受信信号）は、周波数可変フィルタ１４を通過した後、ＬＮＡ１５によって増幅される。受信回路１６は、ＬＮＡ１５から出力されたＲＦ受信信号をダウンコンバートすることによりベースバンド受信信号を生成する。生成されたベースバンド受信信号は、ＰＨＳモデム２０によって復調される。
【００２５】
ＷＣＤＭＡ用の無線通信部３０は、ＷＣＤＭＡ回路３１と、ＷＣＤＭＡモデム３２とを含む。ＷＣＤＭＡモデム３２は、送信時にはデジタルデータをＷＣＤＭＡ方式によって変調することによって、ベースバンド送信信号を生成する。ＷＣＤＭＡモデム３２は、受信時にはＷＣＤＭＡ回路３１から受けたベースバンド受信信号を復調することによってデジタルデータを生成する。
【００２６】
ＷＣＤＭＡ回路３１は、ＷＣＤＭＡ用のＲＦＩＣであって、ＷＣＤＭＡモデム３２から出力されたベースバンド送信信号を所定の周波数帯域にアップコンバートすることによってＲＦ送信信号（無線送信信号）を生成する。生成されたＲＦ送信信号はアンテナ３を介して放射される。一方、アンテナ３を介して受信したＷＣＤＭＡ用のＲＦ受信信号（無線受信信号）は、ＷＣＤＭＡ回路３１によってダウンコンバートされる。ＷＤＣＭＡ回路３１から出力されたベースバンド受信信号は、ＷＣＤＭＡモデム３２によって復調される。
【００２７】
フィルタ制御回路４０は、周波数可変フィルタ１４の周波数特性を制御する。実施の形態１の場合、周波数可変フィルタ１４は（高域）遮断周波数が変更可能な低域通過フィルタである。なお、遮断周波数とは、出力電圧が入力電圧よりも３ｄＢ低下するときの周波数をいう。
【００２８】
［フィルタ制御回路およびフィルタの構成例］
図２は、図１の周波数可変フィルタおよびフィルタ制御回路の構成例を示す回路図である。
【００２９】
図２を参照して、周波数可変フィルタ１４は、複数の素子が梯子状に接続された梯子型回路によって構成される。具体的に、周波数可変フィルタ１４は、コンデンサＣ１，Ｃ２と、インダクタＬ１〜Ｌ５と、容量可変ダイオード（バラクタ）ＶＤ１，ＶＤ２とを含む。以下、これらの構成要素の接続について説明する。
【００３０】
コンデンサＣ１、インダクタＬ１〜Ｌ３、およびコンデンサＣ２は、入力ノードＮｉｎと出力ノードＮｏｕｔとの間にこの順で直列に接続される。インダクタＬ４および容量可変ダイオードＶＤ１は、インダクタＬ１，Ｌ２の接続ノードＮ１と接地ノードＧＮＤとの間にこの順で直列に接続される。インダクタＬ５および容量可変ダイオードＶＤ２は、インダクタＬ２，Ｌ３の接続ノードＮ２と接地ノードＧＮＤとの間にこの順で直列に接続される。容量可変ダイオードＶＤ１，ＶＤ２の各アノードが接地ノードＧＮＤに接続される。
【００３１】
フィルタ制御回路４０は、容量可変ダイオードＶＤ１，ＶＤ２の各カソードに制御電圧Ｖｃを供給することによって容量可変ダイオードＶＤ１，ＶＤ２の各容量値を変更し、これによって、周波数可変フィルタ１４の遮断周波数を変更する。具体的に、フィルタ制御回路４０は、Ｄ／Ａ変換器（Digital-to-Analog  Converter）４１と、オペアンプ４２および抵抗素子４３，４４によって構成される反転増幅回路とを含む。以下、これらの構成要素の接続について説明する。
【００３２】
Ｄ／Ａ変換器４１の入力ノードには、図１のＣＰＵ３５からデジタルの制御値Ｄが入力される。この制御値Ｄは、Ｄ／Ａ変換器４１によってアナログ値に変換された後、オペアンプ４２の反転入力端子（−端子）に入力される。オペアンプ４２の非反転入力端子（＋端子）にはバイアス電圧Ｖｂが印加される。抵抗素子４３はオペアンプ４２の反転入力端子（−端子）と出力端子との間に接続され、抵抗素子４４の一端はオペアンプ４２の出力端子に接続される。抵抗素子４４の他端は、制御電圧Ｖｃを出力する出力ノードとして、周波数可変フィルタ１４のインダクタＬ３とコンデンサＣ２との接続ノードＮ３に接続される。なお、抵抗素子４４の他端は、コンデンサＣ１とインダクタＬ１との接続ノードに接続してもよいし、接続ノードＮ１またはＮ２に接続してもよい。
【００３３】
［周波数可変フィルタの基本制御］
再び図１を参照して、ＷＣＤＭＡ用の無線通信部３０から出力されるＲＦ送信信号は、連続信号であり出力も大きいために、隣接する周波数帯域を使用するＰＨＳ用の無線通信部１０での受信に悪影響（受信信号の品質劣化）を及ぼす。この悪影響を抑制するため、ＰＨＳ用の受信回路１６の前段側に遮断域の急峻度が急峻なフィルタを挿入することが通常行なわれる。しかしながら、急峻なフィルタは、通過帯域内の挿入損失が大きくなるために、ＷＣＤＭＡ用の無線通信部３０から無線信号が出力されていない場合にまで、ＰＨＳ用の無線通信部１０の受信感度が劣化してしまうという問題が生じる。
【００３４】
上記の問題を解決するために、実施の形態１の通信装置１では、受信回路１６の前段側に周波数可変フィルタ１４が設けられる。ＣＰＵ３５は、ＰＨＳ用の無線通信部１０が無線信号を受信しているときに、ＷＣＤＭＡ用の無線通信部３０が無線信号を送信する場合には、無線通信部３０が使用する周波数領域に応じて遮断周波数が変化するように、フィルタ制御回路４０を通じて周波数可変フィルタ１４を制御する。この場合、ＣＰＵ３５は、無線通信部３０が使用する周波数領域に関する情報をＷＣＤＭＡモデム３２から受け取る。
【００３５】
図３は、図１の周波数可変フィルタの周波数特性を模式的に示す図である。図１、図３を参照して、ＷＣＤＭＡ用の無線通信部３０によって使用される周波数帯域（ＷＣＤＭＡ帯域）は、チャネルＡ（Ａ  ｃｈ）およびチャネルＢ（Ｂ  ｃｈ）を含む複数のチャネルに分割される。ただし、チャネルＡはチャネルＢよりも、ＰＨＳ用の無線通信部１０によって使用される周波数帯域（ＰＨＳ帯域）に近いものとする。
【００３６】
周波数可変フィルタ１４は、初期状態では、曲線５１で示される周波数特性を有している。ＣＰＵ３５から入力される制御値Ｄに応じて制御電圧Ｖｃが変化することによって、周波数可変フィルタ１４の周波数特性が曲線５２，５３，５４の順に変化する。すなわち、周波数可変フィルタ１４の遮断周波数が、ＷＣＤＭＡ帯域からＰＨＳ帯域に近付く方向に変化する。
【００３７】
ＰＨＳ用の無線通信部１０による無線信号の受信時に、ＷＣＤＭＡ用の無線通信部３０がチャネルＢを使用して無線信号を送信するときには、ＣＰＵ３５は、周波数可変フィルタ１４の周波数特性が曲線５２で示される特性になるようにフィルタ制御回路４０を介して周波数可変フィルタ１４の遮断周波数を変更する。これによって、ＷＣＤＭＡ用の無線通信部３０から出力された無線信号が抑圧されてＰＨＳの受信品質が良好になる。
【００３８】
同様に、ＰＨＳ用の無線通信部１０による無線信号の受信時に、ＷＣＤＭＡ用の無線通信部３０がチャネルＡを使用して無線信号を送信するときには、ＣＰＵ３５は、周波数可変フィルタ１４の周波数特性が曲線５４で示される特性になるようにフィルタ制御回路４０を介して周波数可変フィルタ１４の遮断周波数を変更する。すなわち、周波数可変フィルタ１４の遮断周波数は、チャネルＢの場合に比べてよりＰＨＳ帯域に近付く方向に変化する。これによって、ＷＣＤＭＡ用の無線通信部３０から出力された無線信号が抑圧されてＰＨＳの受信品質が良好になる。
【００３９】
ＷＣＤＭＡ用の無線通信部３０が無線信号の送信を終了したときには、ＣＰＵ３５は、周波数可変フィルタ１４の周波数特性が初期状態の曲線５１で示される特性に戻るようにフィルタ制御回路４０を介して周波数可変フィルタ１４を制御する。
【００４０】
［周波数可変フィルタのオプション制御］
周波数可変フィルタ１４の周波数特性は、さらに以下に示す方法で制御するのが好ましい。第１の方法では、ＰＨＳモデム２０に、ベースバンド受信信号に基づいて受信信号の品質を表わす評価値（たとえば、ビットエラーレート）を算出する受信エラー算出部２１が設けられる。ＣＰＵ３５は、周波数可変フィルタ１４の遮断周波数を変更した後、受信エラー算出部２１によって算出される信号品質の評価値が許容レベルに達していない場合には、遮断周波数がＰＨＳ帯域にさらに近付くように周波数可変フィルタ１４を制御する。これによってＷＣＤＭＡからのＲＦ送信信号によるＰＨＳ受信信号への影響を抑制する。
【００４１】
第２の方法では、ＰＨＳ用の無線通信部１０による無線信号の受信時に、ＷＣＤＭＡ用の無線通信部３０が無線信号を送信するときには、ＣＰＵ３５は、ＲＦ送信信号の送信電力に関する情報をＷＣＤＭＡモデム３２から受け取る。ＣＰＵ３５は、ＲＦ無線信号の送信電力が所定の基準値を超えている場合に限って、ＷＣＤＭＡからのＲＦ送信信号によるＰＨＳ受信信号への影響を抑制するために周波数可変フィルタ１４の周波数特性を変更する。
【００４２】
［周波数可変フィルタの制御手順］
図４は、図１の周波数可変フィルタの制御手順を示すフローチャートである。以下、図１および図４を参照して、実施の形態１による通信装置１において周波数可変フィルタ１４を制御する手順についてこれまでの説明を総括する。
【００４３】
最初に、ＰＨＳ用の無線通信部１０が無線信号の受信を開始する（ステップＳ１００）。無線通信部１０の受信中にＷＣＤＭＡ用の無線通信部３０が無線信号を送信する場合には（ステップＳ１０５でＮＯかつステップＳ１１０でＹＥＳ）、ＣＰＵ３５は、無線通信部３０から出力されるＲＦ送信信号の送信電力が基準値を超えているか否かを判定する（ステップＳ１１５）。ＲＦ送信電力が基準値以下の場合には（ステップＳ１１５でＮＯ）、ＣＰＵ３５は、周波数可変フィルタ１４の遮断周波数を初期状態から変更しない（ステップＳ１０５に戻る）。
【００４４】
無線通信部３０から出力されるＲＦ送信信号の送信電力が基準値を超えている場合には（ステップＳ１１５でＹＥＳ）、ＣＰＵ３５は、ＷＣＤＭＡ用の無線通信部３０が使用するチャネルに応じて、フィルタ制御回路４０に出力するデジタルの制御値Ｄを変更する（ステップＳ１２０）。フィルタ制御回路４０は、制御値ＤをＤ／Ａ変換し、さらに増幅することによって制御電圧Ｖｃを生成する（ステップＳ１２５）。周波数可変フィルタ１４の遮断周波数は、制御電圧Ｖｃに応じて変化する（ステップＳ１３０）。
【００４５】
次に、ＣＰＵ３５は、ＰＨＳモデム２０に設けられた受信エラー算出部２１からの情報に基づいて、受信信号の品質が良好か否かを判定する（ステップＳ１３５）。受信信号の品質が許容レベルに達していない場合には（ステップＳ１３５でＮＯ）、ＣＰＵ３５は、制御値Ｄを修正することにより（ステップＳ１４０）、遮断周波数がＰＨＳ帯域により近付くように周波数可変フィルタ１４を制御する。
【００４６】
ＷＣＤＭＡ用の無線通信部３０が送信信号の出力を終了した場合、または無線通信部３０からの送信電力が基準値以下となった場合には（ステップＳ１４５でＹＥＳ）、ＣＰＵ３５は、制御値Ｄを初期値に戻す（ステップＳ１５０）。この結果、フィルタ制御回路４０によって制御値ＤがＤ／Ａ変換され、さらに増幅されることによって制御電圧Ｖｃが生成される（ステップＳ１５５）。初期状態の制御値Ｄに対応する制御電圧Ｖｃに応じて周波数可変フィルタ１４の遮断周波数が初期値に戻る（ステップＳ１６０）。
【００４７】
一方、無線通信部３０からの送信電力が基準値を超えている場合には（ステップＳ１４５でＮＯ）、ＣＰＵ３５は、ＷＣＤＭＡ用の無線通信部３０が使用するチャネルに応じて、フィルタ制御回路４０に出力するデジタルの制御値Ｄを再設定する（ステップＳ１２０）。この結果、再設定された制御値Ｄに応じて制御電圧Ｖｃが生成され（ステップＳ１２５）、周波数可変フィルタ１４の遮断周波数が変化する（ステップＳ１３０）。
【００４８】
ＷＣＤＭＡ方式の場合には、通信中に常に送信電力が変動し、チャネル変更が行なわれる。このため、送信電力の大きさの判定（ステップＳ１１５，Ｓ１４５）および使用チャネルに応じた周波数可変フィルタ１４の遮断周波数の変更（ステップＳ１２０〜Ｓ１４０）は、繰り返し行なわれる。
【００４９】
［実施の形態１の効果］
実施の形態１の通信装置１によれば、ＰＨＳ用の無線通信部１０による無線信号の受信時に、ＷＣＤＭＡ用の無線通信部３０が無線信号を送信するときには、ＰＨＳ用の受信回路１６の前段側に設けられた周波数可変フィルタ１４の遮断周波数が無線通信部３０の使用するチャネルに応じて調整される。これによって、ＰＨＳの受信レベルをできるだけ低下させないようにしながら、ＷＣＤＭＡ用の無線通信部３０からの妨害波によるＰＨＳの受信品質の劣化を抑制することができる。
【００５０】
＜実施の形態２＞
実施の形態２では、図１の通信装置１において周波数可変フィルタ１４およびフィルタ制御回路４０が、周波数可変フィルタ１４Ａおよびフィルタ制御回路４０Ａにそれぞれ置換される。周波数可変フィルタ１４Ａは、遮断領域の急峻度が変更可能なものである。急峻度がより急峻になることによって遮断周波数もＰＨＳ帯域に近付く方向に若干変化する。実施の形態２の通信装置のその他の構成は図１の場合と同じであるので説明を繰り返さない。
【００５１】
［周波数可変フィルタの構成］
図５は、実施の形態２による通信装置で用いられる周波数可変フィルタの構成例を示す回路図である。
【００５２】
図５を参照して、周波数可変フィルタ１４Ａは、複数の素子が梯子状に接続された梯子型回路によって構成される。周波数可変フィルタ１４Ａは、ＰＨＳ帯域の信号を通過させ、ＷＣＤＭＡ帯域の信号を減衰させるローパスフィルタである。具体的に、周波数可変フィルタ１４Ａは、コンデンサＣ１１〜Ｃ１４と、インダクタＬ１１〜Ｌ１３と、スイッチＳＷ１〜ＳＷ４と、インバータＩＮＶ１，ＩＮＶ２とを含む。スイッチＳＷ１〜ＳＷ４として、たとえば、ＮＭＯＳ（Negative-channel  Metal  Oxide  Semiconductor）トランジスタが設けられる。以下、これらの構成要素の接続について説明する。
【００５３】
インダクタＬ１１〜Ｌ１３は、入力ノードＮｉｎと出力ノードＮｏｕｔとの間にこの順で直列に接続される。コンデンサＣ１１は、入力ノードＮｉｎと接地ノードＧＮＤとの間に接続される。スイッチＳＷ１およびコンデンサＣ１２は、インダクタＬ１１，Ｌ１２の接続ノードＮ１１と接地ノードＧＮＤとの間にこの順で直列に接続される。スイッチＳＷ３およびコンデンサＣ１３は、インダクタＬ１２，Ｌ１３の接続ノードＮ１２と接地ノードＧＮＤとの間にこの順で直列に接続される。コンデンサＣ１４は、出力ノードＮｏｕｔと接地ノードＧＮＤとの間に接続される。スイッチＳＷ２はインダクタＬ１２と並列に接続され、スイッチＳＷ４はインダクタＬ１３と並列に接続される。
【００５４】
図１のＣＰＵ３５は、フィルタ制御回路４０を介して、スイッチＳＷ１，ＳＷ２をオンまたはオフに切替えるための切替信号Ｓ１と、スイッチＳＷ３，ＳＷ４をオンまたはオフに切替えるための切替信号Ｓ２とを出力する（以下、切替信号Ｓ１，Ｓ２を総称して切替信号Ｓと記載する）。切替信号Ｓ１はインバータＩＮＶ１を介してスイッチＳＷ１に供給され、切替信号Ｓ２はインバータＩＮＶ２を介してスイッチＳＷ３に供給される。切替信号Ｓ１がＨレベル（High  Level）のとき、スイッチＳＷ１がオフ状態になり、スイッチＳＷ２がオン状態になる。切替信号Ｓ２がＨレベルのとき、スイッチＳＷ３がオフ状態になり、スイッチＳＷ４がオン状態になる。
【００５５】
［周波数可変フィルタの制御動作］
図６は、図５の周波数可変フィルタの周波数特性を模式的に示す図である。図５、図６を参照して、初期状態では、切替信号Ｓ１，Ｓ２は共にＨレベルに設定される。この場合、スイッチＳＷ１，ＳＷ３がオフ状態になり、スイッチＳＷ２，ＳＷ４がオン状態になるので、周波数可変フィルタ１４ＡはコンデンサＣ１１，Ｃ１４およびインダクタＬ１１によって構成される一段構成である。このときの周波数可変フィルタ１４Ａの周波数特性は曲線６１によって示される。
【００５６】
ＰＨＳ用の無線通信部１０による無線信号の受信時に、ＷＣＤＭＡ用の無線通信部３０がチャネルＢ（Ｂ  ｃｈ）を使用して無線信号を送信するときには、ＣＰＵ３５は、切替信号Ｓ１をＬレベル（Low  Level）に変化させ、切替信号Ｓ２をＨレベルのまま維持する。これによって、スイッチＳＷ１，ＳＷ４がオン状態になり、スイッチＳＷ２，ＳＷ３がオフ状態になるので、周波数可変フィルタ１４Ａは、コンデンサＣ１１，Ｃ１２，Ｃ１４およびインダクタＬ１１，Ｌ１２によって構成される二段構成になる。この場合の周波数可変フィルタ１４Ａの周波数特性は曲線６２によって示される。この結果、ＷＣＤＭＡ用の無線通信部３０から出力された無線信号が抑圧されてＰＨＳの受信特性が良好になる。
【００５７】
ＰＨＳ用の無線通信部１０による無線信号の受信時に、ＷＣＤＭＡ用の無線通信部３０がチャネルＡ（Ａ  ｃｈ）を使用して無線信号を送信するときには、ＣＰＵ３５は、切替信号Ｓ１，Ｓ２を共にＬレベルに変化させる。これによって、スイッチＳＷ１，ＳＷ３がオン状態になり、スイッチＳＷ２，ＳＷ４がオフ状態になるので、周波数可変フィルタ１４Ａは、コンデンサＣ１１，Ｃ１２，Ｃ１３，Ｃ１４およびインダクタＬ１１，Ｌ１２，Ｌ１３によって構成される三段構成になる。この場合の周波数可変フィルタ１４Ａの周波数特性は曲線６３によって示される。この結果、ＷＣＤＭＡ用の無線通信部３０から出力された無線信号が抑圧されてＰＨＳの受信特性が良好になる。
【００５８】
ＷＣＤＭＡ用の無線通信部３０が無線信号の送信を終了したときには、ＣＰＵ３５は、切替信号Ｓ１，Ｓ２を共にＨレベルにすることによって、周波数可変フィルタ１４Ａの周波数特性を初期状態（曲線６１）に戻す。
【００５９】
図７は、図５の周波数可変フィルタの制御手順を示すフローチャートである。図１、図５、図７を参照して、最初に、ＰＨＳ用の無線通信部１０が無線信号の受信を開始する（ステップＳ１００）。無線通信部１０の受信中にＷＣＤＭＡ用の無線通信部３０が無線信号を送信する場合には（ステップＳ１０５でＮＯかつステップＳ１１０でＹＥＳ）、ＣＰＵ３５は、無線通信部３０から出力されるＲＦ送信信号の送信電力が基準値を超えているか否かを判定する（ステップＳ１１５）。ＲＦ送信電力が基準値以下の場合には（ステップＳ１１５でＮＯ）、ＣＰＵ３５は、周波数可変フィルタ１４の遮断周波数を初期状態から変更しない（ステップＳ１０５に戻る）。
【００６０】
無線通信部３０から出力されるＲＦ送信信号の送信電力が基準値を超えている場合には（ステップＳ１１５でＹＥＳ）、ＣＰＵ３５は、ＷＣＤＭＡ用の無線通信部３０が使用するチャネルに応じて、フィルタ制御回路４０Ａに出力する切替信号Ｓを変更する（ステップＳ１２０Ａ）。切替信号Ｓに応じて周波数可変フィルタ１４Ａの段数が変化することによって周波数可変フィルタ１４Ａの遮断域の急峻度が変化する（ステップＳ１３０Ａ）。
【００６１】
次に、ＣＰＵ３５は、ＰＨＳモデム２０に設けられた受信エラー算出部２１からの情報に基づいて、受信信号の品質が良好か否かを判定する（ステップＳ１３５）。受信信号の品質が許容レベルに達していない場合には（ステップＳ１３５でＮＯ）、ＣＰＵ３５は、切替信号Ｓを修正することにより（ステップＳ１４０Ａ）、遮断域の急峻度がより急峻になるように周波数可変フィルタ１４Ａを制御する。
【００６２】
ＷＣＤＭＡ用の無線通信部３０が送信信号の出力を終了した場合、または無線通信部３０からの送信電力が基準値以下となった場合には（ステップＳ１４５でＹＥＳ）、ＣＰＵ３５は、切替信号Ｓを初期状態に戻す（ステップＳ１５０Ａ）。この結果、切替信号Ｓに応じて周波数可変フィルタ１４Ａの段数が変化することによって周波数可変フィルタ１４Ａの遮断域の急峻度が初期状態に戻る（ステップＳ１６０Ａ）。
【００６３】
一方、無線通信部３０からの送信電力が基準値を超えている場合には（ステップＳ１４５でＮＯ）、ＣＰＵ３５は、ＷＣＤＭＡ用の無線通信部３０が使用するチャネルに応じて、フィルタ制御回路４０Ａに出力する切替信号Ｓを再設定する（ステップＳ１２０Ａ）。この結果、再設定された切替信号Ｓに応じて周波数可変フィルタ１４Ａの急峻度が変化する（ステップＳ１３０Ａ）。
【００６４】
ＷＣＤＭＡ方式の場合には、通信中に常に送信電力が変動し、チャネル変更が行なわれる。このため、送信電力の大きさの判定（ステップＳ１１５，Ｓ１４５）および使用チャネルに応じた周波数可変フィルタ１４Ａの急峻度の変更（ステップＳ１２０Ａ〜Ｓ１４０Ａ）は、繰り返し行なわれる。
【００６５】
［実施の形態２の効果］
実施の形態２の通信装置によれば、ＰＨＳ用の無線通信部１０による無線信号の受信時に、ＷＣＤＭＡ用の無線通信部３０が無線信号を送信するときに、ＰＨＳ用の受信回路１６の前段側に設けられたフィルタ１４Ａの遮断域の急峻度が無線通信部３０の使用するチャネルに応じて調整される。これによって、ＰＨＳの受信レベルをできるだけ低下させないようにしながら、ＷＣＤＭＡ用の無線通信部３０からの妨害波によるＰＨＳの受信品質の劣化を抑制することができる。
【００６６】
＜実施の形態３＞
実施の形態３では、図１の通信装置１において周波数可変フィルタ１４およびフィルタ制御回路４０が、周波数可変フィルタ１４Ｂおよびフィルタ制御回路４０Ｂにそれぞれ置換される。周波数可変フィルタ１４Ｂは、実施の形態１，２を組み合わせたものであって、遮断周波数および遮断領域の急峻度の両方が変更可能なものである。実施の形態３の通信装置のその他の構成は図１の場合と同じであるので説明を繰り返さない。
【００６７】
［周波数可変フィルタの構成］
図８は、実施の形態３による通信装置で用いられる周波数可変フィルタの構成例を示す回路図である。図８の周波数可変フィルタ１４Ｂは、接続ノードＮ１０を介在して図２の周波数可変フィルタ１４と図５の周波数可変フィルタ１４Ａを接続するように構成されたローパスフィルタである。図８において、図２および図５と対応する部分には同一の参照符号を付して説明を繰り返さない。
【００６８】
図１のＣＰＵ３５は、図８のフィルタ制御回路４０Ｂに制御値Ｄおよび切替信号Ｓを出力する。フィルタ制御回路４０Ｂは、制御値Ｄに応じた制御電圧Ｖｃを接続ノードＮ３（結果として、容量可変ダイオードＶＤ１，ＶＤ２のカソード）に出力し、切替信号Ｓ（Ｓ１，Ｓ２）をスイッチＳＷ１〜ＳＷ４に出力する。
【００６９】
［周波数可変フィルタの制御動作］
図９は、図８の周波数可変フィルタの周波数特性を模式的に示す図である。図８、図９を参照して、初期状態（曲線７１）では、切替信号Ｓ１，Ｓ２は共にＨレベルに設定される。
【００７０】
ＰＨＳ用の無線通信部１０による無線信号の受信時に、ＷＣＤＭＡ用の無線通信部３０が無線信号を送信するときには、図１のＣＰＵ３５は、まず制御値Ｄ（すなわち制御電圧Ｖｃ）を変更することによって容量可変ダイオードＶＤ１，ＶＤ２の容量値を調整する。これによって、周波数可変フィルタ１４Ｂの周波数特性は、順に曲線７２，７３によって示される特性に変化する。すなわち、周波数可変フィルタ１４Ｂの遮断周波数がＷＣＤＭＡ帯域からＰＨＳ帯域に近付く方向に変化する。
【００７１】
ＣＰＵ３５は、制御値Ｄの調整後にさらに切替信号Ｓ１をＬレベルにすることによって周波数可変フィルタ１４Ｂの段数を増やす。この結果、曲線７４で示されるように周波数可変フィルタ１４Ｂの遮断域の急峻度がより急峻になる。ＣＰＵ３５は、さらに切替信号Ｓ２をＬレベルにすることによって周波数可変フィルタ１４Ｂの段数をさらに増やす。この結果、曲線７５で示されるように周波数可変フィルタ１４Ｂの遮断域の急峻度がさらに急峻になる。
【００７２】
たとえば、ＰＨＳ用の無線通信部１０による無線信号の受信時に、ＷＣＤＭＡ用の無線通信部３０が図９のチャネルＢ（Ｂ  ｃｈ）を使用して無線信号を送信するときには、ＣＰＵ３５は、制御値Ｄを調整することによって、周波数可変フィルタ１４Ｂの遮断周波数をＰＨＳ帯域に近付ける。この結果、周波数可変フィルタ１４Ｂの周波数特性が曲線７２で示される特性に変化し、ＷＣＤＭＡ用の無線通信部３０から出力された無線信号が抑圧されてＰＨＳの受信特性が良好になる。
【００７３】
ＰＨＳ用の無線通信部１０による無線信号の受信時に、ＷＣＤＭＡ用の無線通信部３０が図９のチャネルＡ（Ａ  ｃｈ）を使用して無線信号を送信するときには、ＣＰＵ３５は、制御値Ｄを調整するとともに切替信号Ｓ１をＬレベルに変化させる。これによって、周波数可変フィルタ１４Ｂの遮断周波数がＰＨＳ帯域に近付くとともに、遮断域の急峻度がより急峻になる（曲線７４）。この結果、ＷＣＤＭＡ用の無線通信部３０から出力された無線信号が抑圧されてＰＨＳの受信特性が良好になる。
【００７４】
図１０は、図８の周波数可変フィルタの制御手順を示すフローチャートである。図１、図８、図１０を参照して、最初に、ＰＨＳ用の無線通信部１０が無線信号の受信を開始する（ステップＳ１００）。無線通信部１０の受信中にＷＣＤＭＡ用の無線通信部３０が無線信号を送信する場合には（ステップＳ１０５でＮＯかつステップＳ１１０でＹＥＳ）、ＣＰＵ３５は、無線通信部３０から出力されるＲＦ送信信号の送信電力が基準値を超えているか否かを判定する（ステップＳ１１５）。ＲＦ送信電力が基準値以下の場合には（ステップＳ１１５でＮＯ）、ＣＰＵ３５は、周波数可変フィルタ１４Ｂの遮断周波数および急峻度を初期状態から変更しない（ステップＳ１０５に戻る）。
【００７５】
無線通信部３０から出力されるＲＦ送信信号の送信電力が基準値を超えている場合には（ステップＳ１１５でＹＥＳ）、ＣＰＵ３５は、ＷＣＤＭＡ用の無線通信部３０が使用するチャネルに応じて、フィルタ制御回路４０Ｂに出力するデジタルの制御値Ｄおよび／または切替信号Ｓを変更する（ステップＳ１２０Ｂ）。フィルタ制御回路４０Ｂは、制御値ＤをＤ／Ａ変換し、さらに増幅することによって制御電圧Ｖｃを生成する（ステップＳ１２５）。周波数可変フィルタ１４Ｂの遮断周波数は制御電圧Ｖｃに応じて変化し、周波数可変フィルタ１４Ｂの遮断域の急峻度は切替信号Ｓに応じて変化する（ステップＳ１３０Ｂ）。
【００７６】
次に、ＣＰＵ３５は、ＰＨＳモデム２０に設けられた受信エラー算出部２１からの情報に基づいて、受信信号の品質が良好か否かを判定する（ステップＳ１３５）。受信信号の品質が許容レベルに達していない場合には（ステップＳ１３５でＮＯ）、ＣＰＵ３５は、制御値Ｄおよび／または切替信号Ｓを修正することにより（ステップＳ１４０Ｂ）、遮断周波数がＰＨＳ帯域により近付くように、および／または遮断域の急峻度がより急峻になるように周波数可変フィルタ１４Ｂを制御する。
【００７７】
ＷＣＤＭＡ用の無線通信部３０が送信信号の出力を終了した場合、または無線通信部３０からの送信電力が基準値以下となった場合には（ステップＳ１４５でＹＥＳ）、ＣＰＵ３５は、制御値Ｄおよび切替信号Ｓを初期状態に戻す（ステップＳ１５０Ｂ）。この結果、フィルタ制御回路４０Ｂは、制御値ＤをＤ／Ａ変換し、さらに増幅することによって制御電圧Ｖｃを生成する（ステップＳ１５５）。初期状態の制御値Ｄに対応して生成された制御電圧Ｖｃと切替信号Ｓとに応じて周波数可変フィルタ１４Ｂの遮断周波数および急峻度が初期状態に戻る。（ステップＳ１６０Ｂ）。
【００７８】
一方、無線通信部３０からの送信電力が基準値を超えている場合には（ステップＳ１４５でＮＯ）、ＣＰＵ３５は、ＷＣＤＭＡ用の無線通信部３０が使用するチャネルに応じて、フィルタ制御回路４０Ｂに出力するデジタルの制御値Ｄおよび／または切替信号Ｓを再設定する（ステップＳ１２０Ｂ）。この結果、再設定された制御値Ｄに応じて制御電圧Ｖｃが生成される（ステップＳ１２５）。生成された制御電圧Ｖｃに応じて周波数可変フィルタ１４Ｂの遮断周波数が変化し、切替信号Ｓに応じて周波数可変フィルタ１４Ｂの遮断域の急峻度が変化数（ステップＳ１３０Ｂ）。
【００７９】
ＷＣＤＭＡ方式の場合には、通信中に常に送信電力が変動し、チャネル変更が行なわれる。このため、送信電力の大きさの判定（ステップＳ１１５，Ｓ１４５）および使用チャネルに応じた周波数可変フィルタ１４の遮断周波数および急峻度の変更（ステップＳ１２０Ｂ〜Ｓ１４０Ｂ）は、繰り返し行なわれる。
【００８０】
［実施の形態３の効果］
実施の形態３の通信装置によれば、ＰＨＳ用の無線通信部１０による無線信号の受信時に、ＷＣＤＭＡ用の無線通信部３０が無線信号を送信するときには、ＰＨＳ用の受信回路１６の前段側に設けられた周波数可変フィルタ１４Ｂの遮断周波数および／または遮断域の急峻度が無線通信部３０の使用するチャネルに応じて調整される。これによって、ＰＨＳの受信レベルをできるだけ低下させないようにしながら、ＷＣＤＭＡ用の無線通信部３０からの妨害波によるＰＨＳの受信品質の劣化を抑制することができる。
【００８１】
＜変形例＞
周波数可変フィルタ１４，１４Ａ，１４Ｂとして、ローパスフィルタに代えてバンドパスフィルタを用いてもよい。この場合、ＰＨＳ用の無線通信部１０による無線信号の受信時に、ＷＣＤＭＡ用の無線通信部３０が無線信号を送信するときに、バンドパスフィルタの高域遮断周波数（ＷＣＤＭＡ帯域に近接する側の遮断周波数）が調整される。
【００８２】
今回開示された実施の形態はすべての点で例示であって制限的なものでないと考えられるべきである。この発明の範囲は上記した説明ではなくて請求の範囲によって示され、請求の範囲と均等の意味および範囲内でのすべての変更が含まれることが意図される。
【符号の説明】
【００８３】
１  通信装置、２，３  アンテナ、１０  無線通信部（ＰＨＳ用）、１３  送信回路、１４，１４Ａ，１４Ｂ  周波数可変フィルタ、１６  受信回路、２０  ＰＨＳモデム、２１  受信エラー算出部、３０  無線通信部（ＷＣＤＭＡ用）、３１  ＷＣＤＭＡ回路、３２  ＷＣＤＭＡモデム、４０，４０Ａ，４０Ｂ  フィルタ制御回路。
【図１】
2014123901.tif 000003
【図２】
2014123901.tif 000004
【図３】
2014123901.tif 000005
【図４】
2014123901.tif 000006
【図５】
2014123901.tif 000007
【図６】
2014123901.tif 000008
【図７】
2014123901.tif 000009
【図８】
2014123901.tif 000010
【図９】
2014123901.tif 000011
【図１０】
2014123901.tif 000012